(57)【要約】  本発明は、特定のノニオン界面活性剤（Ａ）と、アニオン界面活性剤（Ｂ）（高級脂肪酸塩を除く）と、アミノ変性基及びアミド変性基から選ばれる少なくとも１つの変性基ならびにポリエーテル変性基を構造内に有するシリコーン（Ｃ）と、を含むことを特徴とする、液体洗浄剤組成物に関する。前記（Ｂ）成分と前記（Ｃ）成分の質量比率（Ｂ）／（Ｃ）は、１／１〜２０／１であることが好ましい。【特許請求の範囲】
【請求項１】
下記式（１）で表されるノニオン界面活性剤（Ａ）と、アニオン界面活性剤（Ｂ）（高級脂肪酸塩を除く）と、アミノ変性基及びアミド変性基から選ばれる少なくとも１つの変性基ならびにポリエーテル変性基を構造内に有するシリコーン（Ｃ）と、を含むことを特徴とする、液体洗浄剤組成物。
Ｒ１−Ｘ１−（ＡＯ）ｎ−Ｒ２  ・・・（１）
（式（１）中、Ｒ１は、炭素数８〜２２の炭化水素基を表し、Ｘ１はＯ又はＣＯＯを表し、Ｒ２は、炭素数１〜２の炭化水素基又は水素原子を表し、ＡＯは炭素数２〜４のアルキレンオキシ基を表す。また、ｎはＡＯの平均繰り返し数を表し、１３以上の数である。但し、Ｘ１がＯの場合、ＡＯはエチレンオキシ基を表す。）
【請求項２】
前記液体洗浄剤組成物中の前記（Ｂ）成分と前記（Ｃ）成分の質量比率（Ｂ）／（Ｃ）が、１／１〜２０／１である、請求項１に記載の液体洗浄剤組成物。
【請求項３】
前記液体洗浄剤組成物中の前記（Ａ）成分と前記（Ｂ）成分の合計量が、前記液体洗浄剤組成物の総質量に対して２５質量％以上である、請求項１又は２に記載の液体洗浄剤組成物。
【請求項４】
さらに香料前駆体（Ｄ）を含む、請求項１〜３のいずれか一項に記載の液体洗浄剤組成物。
【発明の詳細な説明】
【技術分野】
【０００１】
本発明は、液体洗浄剤組成物に関する。
本願は、２０１６年５月３１日に、日本に出願された特願２０１６−１０８１２３号に基づき優先権を主張し、その内容をここに援用する。
【背景技術】
【０００２】
近年、保温性や速乾性といった衣類に対する消費者ニーズの多様化に伴い、化学繊維を多用した機能性衣類が増加している。このような機能性衣類には、肌になじむさらっとした着心地が求められている。一方、化学繊維を多く含む衣類（以下、「化繊衣類」と記載する）は、一般的に綿衣類（綿１００％の衣類）よりも吸水性が低く、汗の吸いにくさを感じやすいという問題がある。
衣類の着心地を改善できる液体洗浄剤組成物として、例えば、特許文献１には、特定の界面活性剤とアミノ変性シリコーンエマルジョンを含む液体洗浄剤組成物が提案されている。特許文献１の発明によれば、洗浄と同時に衣類にハリとスベリを与え、新品の風合いを維持できることが記載されている。
【先行技術文献】
【特許文献】
【０００３】
【特許文献１】特開平１０−１４０１８３号公報
【発明の概要】
【発明が解決しようとする課題】
【０００４】
しかしながら特許文献１の液体洗浄剤組成物は、洗浄を繰り返すうちに劣化する衣類のハリやスベリを、新品と同程度に維持することを目的としたものであり、洗濯処理を施すことによって、被洗物である衣類の着心地を高めることについて何ら考慮されていない。加えて、特許文献１の液体洗浄剤組成物は、洗濯処理を施すことによって被洗物である化繊衣類の吸水性を高めることについても、何ら考慮されていない。
そこで、本発明は、洗濯処理を施すことにより被洗物のさらっとした着心地及び吸水性を高められる液体洗浄剤組成物を提供することを目的とする。
【課題を解決するための手段】
【０００５】
本発明は以下の態様を有する。
［１］下記式（１）で表されるノニオン界面活性剤（Ａ）と、アニオン界面活性剤（Ｂ）（高級脂肪酸塩を除く）と、アミノ変性基及びアミド変性基から選ばれる少なくとも１つの変性基ならびにポリエーテル変性基を構造内に有するシリコーン（Ｃ）と、を含むことを特徴とする、液体洗浄剤組成物。
Ｒ１−Ｘ１−（ＡＯ）ｎ−Ｒ２  ・・・（１）
（式（１）中、Ｒ１は、炭素数８〜２２の炭化水素基を表し、Ｘ１はＯ又はＣＯＯを表し、Ｒ２は、炭素数１〜２の炭化水素基又は水素原子を表し、ＡＯは炭素数２〜４のアルキレンオキシ基を表す。また、ｎはＡＯの平均繰り返し数を表し、１３以上の数である。但し、Ｘ１がＯの場合、ＡＯはエチレンオキシ基を表す。）
［２］前記液体洗浄剤組成物中の前記（Ｂ）成分と前記（Ｃ）成分の質量比率（Ｂ）／（Ｃ）が、１／１〜２０／１である、［１］に記載の液体洗浄剤組成物。
［３］前記液体洗浄剤組成物中の前記（Ａ）成分と前記（Ｂ）成分の合計量が、前記液体洗浄剤組成物の総質量に対して２５質量％以上である、［１］又は［２］に記載の液体洗浄剤組成物。
［４］さらに香料前駆体（Ｄ）を含む、［１］〜［３］のいずれか一項に記載の液体洗浄剤組成物。
［５］カチオン界面活性剤を含まない、［１］〜［４］のいずれか一項に記載の液体洗浄剤組成物。【０００６】
［６］［１］〜［５］のいずれか一項に記載の液体洗浄剤組成物を用いることを特徴とする、化繊衣類を含む被洗物の洗濯処理方法。【０００７】
本明細書において「化繊衣類」とは、化学繊維を５０質量％以上含む衣類である。
【発明の効果】
【０００８】
本発明の液体洗浄剤組成物によれば、洗濯処理を施すことにより被洗物のさらっとした着心地及び吸水性を高められる。
【発明を実施するための形態】
【０００９】
（液体洗浄剤組成物）
本発明の液体洗浄剤組成物（以下、単に液体洗浄剤ということがある）は、（Ａ）〜（Ｃ）成分を含有する組成物である。
【００１０】
＜（Ａ）成分＞
（Ａ）成分は、下記一般式（１）で表されるノニオン界面活性剤である。
Ｒ１−Ｘ１−（ＡＯ）ｎ−Ｒ２  ・・・（１）
（式（１）中、Ｒ１は、炭素数８〜２２の炭化水素基を表し、Ｘ１はＯ又はＣＯＯを表し、Ｒ２は、炭素数１〜２の炭化水素基又は水素原子を表し、ＡＯは炭素数２〜４のアルキレンオキシ基を表す。また、ｎはＡＯの平均繰り返し数を表し、１３以上の数である。但し、Ｘ１がＯの場合、ＡＯはエチレンオキシ基を表す。）
【００１１】
（１）式中、Ｒ１は、炭素数８〜２２の炭化水素基である。
Ｒ１は、飽和炭化水素基でもよいし、不飽和炭化水素基でもよい。
Ｒ１は、直鎖でもよいし、分岐鎖でもよい。
Ｒ１の炭素数は、１０〜２０が好ましく、１０〜１８がより好ましい。Ｒ１の炭素数が上記下限値以上であれば、液体洗浄剤の洗浄力をより高めやすく、上記上限値以下であれば液体洗浄剤に沈殿物や白濁が生じにくくなる（即ち、液安定性に優れる）。
Ｒ１としては、炭素数８〜２２の直鎖もしくは分岐鎖のアルキル基又は炭素数８〜２２の直鎖もしくは分岐鎖のアルケニル基が好ましい。
（１）式中、Ｒ２は、炭素数１〜２の炭化水素基又は水素原子である。
Ｒ２が炭化水素基である場合、Ｒ２は飽和炭化水素基でもよいし、Ｒ２が炭素数２の炭化水素基である場合、Ｒ２は不飽和炭化水素基でもよい。
（１）式中、Ｘ１は、Ｏ又はＣＯＯである。
ＸがＯの場合、Ｒ２は、水素原子が好ましい。
ＸがＣＯＯの場合、Ｒ２は、炭化水素基が好ましく、炭素数１の炭化水素基（即ち、メチル基）が好ましい。
（１）式中、ＡＯは炭素数２〜４のアルキレンオキシ基である。アルキレンオキシ基としては、例えば、エチレンオキシ基、プロピレンオキシ基、ブチレンオキシ基等が挙げられる。
（１）式中、ｎはＡＯの平均繰り返し数（即ち、アルキレンオキシドの平均付加モル数）である。ｎは、１３以上の数であり、１３〜２５が好ましく、１３〜２０がより好ましい。ｎが上記下限値以上であれば、液体洗浄剤を用いて被洗物を洗浄し、水ですすいだ際に、界面活性剤が被洗物に残存しにくくなる（即ち、すすぎ性に優れる）。このため、被洗物の吸水性をより高められる。ｎが上記上限値以下であれば、（Ａ）成分の疎水性が高くなりすぎず、洗浄力をより高められる。
（１）式中、（ＡＯ）ｎにおけるＡＯは、１種単独でもよいし、２種以上であってもよい。ＡＯが２種以上である場合、（ＡＯ）ｎは、ランダム共重合体でもよいし、ブロック共重合体でもよい。
（Ａ）成分は、１種単独で用いられてもよいし、２種以上が組み合わされて用いられてもよい。
【００１２】
（Ａ）成分としては、下記一般式（２）で表されるポリオキシエチレン型ノニオン界面活性剤（Ａ１）（以下、単に（Ａ１）成分と記載することもある）であることが好ましい。
Ｒ１１−Ｘ２−（ＥＯ）ｓ−Ｒ１２  ・・・（２）
（式（２）中、Ｒ１１は炭素数８〜２２の炭化水素基を表す。Ｘ２はＯ又はＣＯＯを表す。ＥＯはエチレンオキシ基を表す。また、Ｘ２がＯの場合、Ｒ１２は水素原子を表し、Ｘ２がＣＯＯの場合、Ｒ１２は炭素数１〜２のアルキル基を表す。ｓはＥＯの平均繰り返し数を表し、１３〜３０の数である。）
【００１３】
上記式（２）中、Ｒ１１は、炭素数８〜２２の炭化水素基を表す。炭素数が８以上であれば、疎水性汚れに対する洗浄効果が十分に得られやすく、化繊衣類等の吸水性を、洗濯処理を施す前よりも高めやすくなる。炭素数が２２以下であれば、液安定性も損なわれにくい。Ｒ１１の炭化水素基の炭素数は、洗浄力がより向上しやすいことから、１０〜１８が好ましい。
Ｒ１１は、アルキル基又はアルケニル基であることが好ましい。これらは直鎖であっても分岐鎖であってもよい。このようなアルキル基又はアルケニル基としては、１級又は２級の高級アルコール、高級脂肪酸、高級脂肪酸アミド等の原料に由来するアルキル基又はアルケニル基が挙げられる。
【００１４】
上記式（２）中、Ｘ２はＯ又はＣＯＯを表す。Ｘ２がＯの場合、Ｒ１２は水素原子を表す。即ち、Ｘ２がＯの場合、（Ａ１）成分はアルコールアルコキシレートである。
Ｘ２がＯの場合、洗浄力のさらなる向上を図る観点から、Ｒ１１は、直鎖もしくは分岐鎖のアルキル基又は直鎖もしくは分岐鎖のアルケニル基が好ましい。
Ｘ２がＯの場合、Ｒ１１の炭素数は、１０〜２２が好ましく、１０〜２０がより好ましく、１０〜１８がさらに好ましい。
Ｘ２がＣＯＯの場合、Ｒ１２は炭素数１〜２のアルキル基を表す。即ち、Ｘ２がＣＯＯの場合、（Ａ１）成分は、脂肪酸アルキルエステルアルコキシレートである。
Ｘ２がＣＯＯの場合、洗浄力のさらなる向上を図る観点から、Ｒ１１は、直鎖もしくは分岐鎖のアルキル基又は直鎖もしくは分岐鎖のアルケニル基が好ましい。
Ｘ２がＣＯＯの場合、Ｒ１１の炭素数は、９〜２１が好ましく、１１〜２１がより好ましい。
【００１５】
式（２）中、ｓはＥＯの平均繰り返し数を表す。
ｓは１３〜３０の数であり、１３〜２０がより好ましく、１３〜１８がより好ましい。
ｓが上記下限値以上であれば、すすぎ性が低くなりすぎず、界面活性剤が被洗物に残存しにくくなって、吸水性がより高まる。ｓが上記上限値以下であれば、親水性が高くなりすぎず洗浄力がより高まる。
【００１６】
式（２）中のｓの分布は、（Ａ１）成分を製造する際の反応方法によって変動する。例えば、一般的なアルカリ触媒である水酸化ナトリウムや水酸化カリウム等を用いて、エチレンオキシドやプロピレンオキシドを原料に付加した場合には、ｓの分布は、比較的広くなる。特公平６−１５０３８号公報に記載のＡｌ３＋、Ｇａ３＋、Ｉｎ３＋、Ｔｌ３＋、Ｃｏ３＋、Ｓｃ３＋、Ｌａ３＋、Ｍｎ２＋等の金属イオンを添加した酸化マグネシウム等の特定のアルコキシル化触媒を用いてエチレンオキシドを原料に付加した場合には、ｓの分布は、比較的狭くなる。ｓの分布が比較的狭くなることで、高い洗浄効果を得られやすくなる。
【００１７】
式（２）で表される（Ａ１）成分としては、例えば、脂肪酸の炭素数が１０〜２０（Ｒ１１の炭素数が９〜１９）の脂肪酸メチルエステルエトキシレート（ＥＯの平均付加モル数１３〜２０）、ポリオキシエチレンアルキル（炭素数６〜１８）エーテル（ＥＯの平均付加モル数１３〜２０）等が挙げられる。このうち洗浄効果及びすすぎ性向上による化繊衣料の吸水性向上の観点から、脂肪酸の炭素数が１１〜１３の脂肪酸メチルエステルエトキシレート（ＥＯの平均付加モル数１３〜１５）、ポリオキシエチレンアルキル（炭素数１２〜１４）エーテル（ＥＯの平均付加モル数１３〜１５）が好ましい。
（Ａ１）成分は、１種単独で用いられてもよいし、２種以上が組み合わされて用いられてもよいが、２種以上が組み合わされて用いられる方がより好ましい。
【００１８】
液体洗浄剤の総質量に対する（Ａ）成分の含有量は、０．５〜７０質量％が好ましく、５〜６０質量％がより好ましく、１０〜５０質量％さらに好ましく、１５〜３５質量％が特に好ましい。（Ａ）成分の含有量が上記下限値以上であれば、液体洗浄剤の洗浄力がさらに向上し、化繊衣類等の吸水性が高まりやすい。（Ａ）成分の含有量が上記上限値以下であれば、液体洗浄剤の液安定性がより高まる。
【００１９】
（Ａ）成分は、常法により製造されてもよいし、市販品を用いてもよい。
（Ａ）成分の製造方法としては、例えば、Ｒ１−Ｘ１−Ｒ２（Ｒ１、Ｘ１、Ｒ２は、式（１）と同じである）にアルキレンオキシドを付加する方法が挙げられる。
（Ａ）成分の市販品としては、例えば、ライオンケミカル株式会社製の「ＣＥＡＯ−９０」、「ＬＭＡＯ−９０」等が挙げられる。
【００２０】
＜（Ｂ）成分＞
（Ｂ）成分は、高級脂肪酸塩を除くアニオン界面活性剤である。
本明細書において高級脂肪酸塩とは、炭素数８〜２２の脂肪酸塩を意味する。
（Ｂ）成分としては、公知のアニオン界面活性剤の中から適宜選択される。
好ましい（Ｂ）成分としては、例えば、直鎖アルキルベンゼンスルホン酸又はその塩；α−オレフィンスルホン酸塩；直鎖又は分岐鎖のアルキル硫酸エステル塩；アルキルエーテル硫酸エステル塩又はアルケニルエーテル硫酸エステル塩；アルキル基を有するアルカンスルホン酸塩；α−スルホ脂肪酸エステル塩等が挙げられる。これらのアニオン界面活性剤における塩としては、ナトリウム、カリウム等のアルカリ金属塩、マグネシウム等のアルカリ土類金属塩、モノエタノールアミン、ジエタノールアミン等のアルカノールアミン塩等が挙げられる。
直鎖アルキルベンゼンスルホン酸又はその塩としては、直鎖アルキル基の炭素数が８〜１６のものが好ましく、炭素数１０〜１４のものがより好ましい。
α−オレフィンスルホン酸塩としては、炭素数１０〜２０のものが好ましい。
アルキル硫酸エステル塩としては、アルキル基の炭素数が１０〜２０のものが好ましい。
アルキルエーテル硫酸エステル塩又はアルケニルエーテル硫酸エステル塩としては、炭素数１０〜２０の直鎖もしくは分岐鎖のアルキル基又は炭素数１０〜２０の直鎖もしくは分岐鎖のアルケニル基を有し、平均１〜５モルのアルキレンオキシド（エチレンオキシド及び／又はプロピレンオキシド）を付加したもの（即ち、ポリオキシアルキレンアルキルエーテル硫酸エステル塩又はポリオキシアルキレンアルケニルエーテル硫酸エステル塩）が好ましい。
アルカンスルホン酸塩としては、アルキル基の炭素数が１０〜２０のものが好ましく、１４〜１７のものがより好ましい。中でも、前記アルキル基が２級アルキル基であるもの（即ち、２級アルカンスルホン酸塩）がさらに好ましい。
α−スルホ脂肪酸エステル塩としては、脂肪酸残基の炭素数が１０〜２０のものが好ましい。
これらの（Ｂ）成分の中でも、直鎖アルキルベンゼンスルホン酸又はその塩、アルカンスルホン酸塩、ポリオキシエチレンアルキルエーテル硫酸エステル塩、及びα−オレフィンスルホン酸塩から選ばれる少なくとも１種が好ましい。
【００２１】
（Ｂ）成分として、上記以外の他のアニオン界面活性剤を用いてもよい。他のアニオン界面活性剤としては、アルキルエーテルカルボン酸塩、ポリオキシアルキレンエーテルカルボン酸塩、アルキル（又はアルケニル）アミドエーテルカルボン酸塩、アシルアミノカルボン酸塩等のカルボン酸型アニオン界面活性剤；アルキルリン酸エステル塩、ポリオキシアルキレンアルキルリン酸エステル塩、ポリオキシアルキレンアルキルフェニルリン酸エステル塩、グリセリン脂肪酸エステルモノリン酸エステル塩等のリン酸エステル型アニオン性界面活性剤；等が挙げられる。
これらの（Ｂ）成分は、１種単独で用いられてもよいし、２種以上が組み合わされて用いられてもよく、２種以上組み合わせて用いられることがより好ましい。その場合、直鎖アルキルベンゼンスルホン酸及びポリオキシエチレンアルキルエーテル硫酸エステル塩を少なくとも用いることが好ましい。
【００２２】
液体洗浄剤の総質量に対する（Ｂ）成分の含有量は、１〜４０質量％が好ましく、２〜３０質量％がより好ましく、３〜２０質量％がさらに好ましく、５〜１５質量％が特に好ましい。上記範囲内であれば再汚染防止性に優れた組成物を提供できる。液体洗浄剤が酵素を含む場合、酵素安定性にも優れる。加えて、上記下限値以上であれば、再汚染防止性能がさらに向上し、疎水性汚れの再付着を防ぎ、吸水性がさらに向上しやすい。（Ｂ）成分が上限値以下であれば、液体洗浄剤が酵素を含む場合に酵素の変性を防止できる。
ここで、「再汚染防止性能」とは、洗濯処理を施すことによって被洗物から脱離した汚れが、再び被洗物に付着することを防止する性能を意味する。「酵素安定性」とは、洗浄剤組成物中で酵素活性が維持される割合のことを意味する。
【００２３】
本発明の液体洗浄剤中の（Ａ）成分と（Ｂ）成分の合計量は、液体洗浄剤組成物の総質量に対して２５質量％以上であることが好ましい。（Ａ）成分と（Ｂ）成分の合計量が２５質量％以上であれば、より良好な洗浄効果が得られやすく、かつ汚れの分散に伴う吸水性向上効果が得られやすい。前記効果とコストバランスの観点から、（Ａ）成分と（Ｂ）成分の合計量は、液体洗浄剤組成物の総質量に対して、３０〜６０質量％であることがより好ましく、３０〜５０質量％であることがさらに好ましく、３５〜４５質量％であることが特に好ましい。
【００２４】
＜（Ｃ）成分＞
（Ｃ）成分は、アミノ変性基及びアミド変性基から選ばれる少なくとも１つの変性基ならびにポリエーテル変性基を構造内に有するシリコーンである。より具体的には、アミノ基により変性された側鎖もしくは末端、ならびにアミド基により変性された側鎖もしくは末端の内の少なくとも１つと、ポリエーテル基により変性された側鎖もしくは末端と、を構造内に併せ持つシリコーンである。なかでも、（Ｃ）成分としては、変性された側鎖を有するシリコーンが好ましい。構造内に、アミノ変性基及びアミド変性基から選ばれる少なくとも１つの変性基を有することで、液体洗浄剤で化繊衣類等の被洗物に洗濯処理を施した際、被洗物のさらっとした着心地が洗濯処理を施す前よりも高まる。また被洗物に対する香料の吸着性がより良好となり、香りの持続性向上効果も得られやすい。加えて、構造内にポリエーテル変性基を有することにより、液体洗浄剤で化繊衣類等の被洗物に洗濯処理を施した際、化繊衣類等の親水性が高まり、洗濯処理を施す前よりも被洗物の吸水性が向上する。また、液体洗浄剤中に（Ｃ）成分を安定に配合することができる。
（Ｃ）成分としては、構造内にアミノ変性基とポリエーテル変性基とを有するシリコーン、又は、構造内にアミド変性基とポリエーテル変性基とを有するシリコーンがより好ましく、液安定性の観点から、アミノ変性基とポリエーテル変性基とを有するシリコーンがより好ましい。
【００２５】
（Ｃ）成分は、常法により製造されてもよいし、市販品を用いてもよい。
（Ｃ）成分の市販品としては、例えば、東レ・ダウコーニング株式会社製の「ＢＹ１６−８７８」、「ＢＹ１６−８９１」、「ＢＹ１６−８９３」、「ＦＺ−３７８９」、「ＦＶ２０９０−０１」、「ＳＩＬＳＴＹＬＥ１０４」等、信越化学工業株式会社製の「ＫＦ−８７７」、「ＫＦ−８８９」、「Ｘ−２２−３９３９Ａ」等、旭化成ワッカーシリコーン株式会社製の「ＷｅｔＳｏｆｔ（登録商標）ＣＴＡ」、「ＷｅｔＳｏｆｔ  ＡＥ２００」、「ＷｅｔＳｏｆｔ  ＮＥ８１０」、「ＷｅｔＳｏｆｔ  ＮＥ８２０」、「ＷｅｔＳｏｆｔ  ＷＰ２０１」等が挙げられる。
このうち、液安定性の観点から、「ＢＹ１６−８９３」、「ＷｅｔＳｏｆｔ  ＣＴＡ」「ＷｅｔＳｏｆｔ  ＮＥ８１０」、「ＫＦ−８８９」、「ＦＺ−３７８９」等が好ましい。
【００２６】
液体洗浄剤の総質量に対する（Ｃ）成分の含有量は、０．０１〜１０質量％が好ましく、０．０５〜５質量％がより好ましく、０．１〜３質量％がさらに好ましく、０．２〜２質量％が特に好ましく、０．２〜１質量％が最も好ましい。上記下限値以上であれば、化繊衣類等のさらっとした着心地及び吸水性がさらに高まりやすく、上記上限値以下であれば液体洗浄剤中で（Ｃ）成分を安定に配合しやすくなる。
【００２７】
＜（Ｄ）成分＞
本発明の液体洗浄剤は、香料前駆体（Ｄ）を含んでいてもよい。（Ｄ）成分を含むことで、本発明の液体洗浄剤を用いて洗濯処理を施した化繊衣類等のさらっとした着心地を長期間にわたって持続させやすくなる。ここで「着心地を長期間持続させる」とは、洗濯乾燥直後にとどまらず、洗濯乾燥を施した後の化繊衣類等を任意の期間保管した後もさらっとした着心地が低下しないことを意味する。
【００２８】
本明細書において香料前駆体とは、それ自体は無臭又は無臭に近いが、液体洗浄剤中又は繊維上で酸化反応等をすることによって、香りを発生させる成分のことを指す。
本発明の液体洗浄剤が（Ｄ）成分を含有することにより、洗濯処理・乾燥後の化繊衣類等から感じられる香りの強さ（即ち、香気強度）がより高められる。これにより、洗濯処理を施した後の化繊衣類等のさらっとした触感の実感効果をより高められ、着心地が向上しやすい。さらに、（Ｄ）成分由来の香気が徐々に放出されることで、前記実感効果をより持続させられる。
（Ｄ）成分としては本発明の効果を有する限り特に限定されず、液体洗浄剤に一般的に用いられているものを使用することができる。このような（Ｄ）成分としては、例えば、硫黄を含有する香料前駆体（硫黄含有香料前駆体ともいう）等が挙げられる。
硫黄含有香料前駆体としては、例えば、下記一般式（ｄ−１）で表される化合物が挙げられる。
【００２９】
Ｊ−Ｓ−Ｇ−Ｑ  ・・・（ｄ−１）
ただし、式（ｄ−１）中、Ｊは、下記化学式（Ｊ−１）〜（Ｊ−７）でそれぞれ表される基、及びこれらの異性体からなる群より選択される少なくとも１種の基を表す。下記化学式（Ｊ−１）〜（Ｊ−７）中、波線は、Ｓと結合する結合手を表す。下記化学式（Ｊ−１）〜（Ｊ−２）中、点線は、点線が設けられている炭素原子間の結合の１つ以上が二重結合であることを意味する。下記化学式（Ｊ−４）中、ｊは、０〜２０の整数を表す。
Ｓは、硫黄原子である。
Ｇは、置換基を有していてもよい炭素数２〜１５の直鎖状又は炭素数２〜１５の分岐鎖状の炭化水素基を表す。
Ｑは、−Ｓ−Ｊで表される基、−ＮＲ６１−Ｊで表される基又は水素原子である。ただし、前記−Ｓ−Ｊで表される基におけるＳは硫黄原子であり、Ｊは下記化学式（Ｊ−１）〜（Ｊ−７）でそれぞれ表される基、及びこれらの異性体からなる群より選択される少なくとも１種の基を表す。前記−ＮＲ６１−Ｊで表される基におけるＮは窒素原子であり、Ｊは前記−Ｓ−Ｊで表される基におけるＪと同じであり、Ｒ６１は水素原子又はメチル基である。
【００３０】
【化１】
2017208990.tif 000002
【００３１】
上記式（ｄ−１）中のＪにおける「これらの異性体」は、化学式（Ｊ−１）〜（Ｊ−７）でそれぞれ表される基が化学構造上とりえる異性体であり、例えば立体異性体等である。
上記化学式（Ｊ−４）中、ｊは、０〜２０の整数（即ち、ｊが０のとき（Ｊ−４）は５員環である）であり、５〜１５の整数が好ましい。
上記式（ｄ−１）におけるＪとしては、上記化学式（Ｊ−１）で表される基、上記化学式（Ｊ−２）で表される基が好ましい。
上記式（ｄ−１）中、Ｇは、飽和炭化水素基でもよいし不飽和炭化水素基でもよい。Ｇとしては、アルキル基又はアルケニル基が好ましく、直鎖状のアルキル基がより好ましい。Ｇにおける炭化水素基の炭素数は、１０〜１４が好ましい。Ｇにおける炭化水素基を有する置換基としては、例えば、−ＯＲ６２、−Ｎ（Ｒ６２）２、−ＣＯＯＲ６２（前記Ｒ６２は、それぞれ、炭素数１〜６のアルキル基もしくは炭素数１〜６のアルケニル基を表す）等が挙げられる。Ｇにおける炭化水素基を有しない置換基としては、例えば、−ＯＨ、−ＮＨ２、−ＣＯＯＨ等が挙げられる。
【００３２】
好ましい（Ｄ）成分としては、例えば、メチル  ２−（４−オキソ−４−（２，６，６−トリメチルシクロヘキサ−３−エン−１−イル）ブタン−２−イルアミノ）−３−（４−オキソ−４−（２，６，６−トリメチルシクロヘキサ−３−エン−１−イル）ブタン−２−イルチオ）プロパネート、エチル  ２−（４−オキソ−４−（２，６，６−トリメチルシクロヘキサ−３−エン−１−イル）ブタン−２−イルアミノ）−３−（４−オキソ−４−（２，６，６−トリメチルシクロヘキサ−３−エン−１−イル）ブタン−２−イルチオ）プロパネート、メチル  ２−（４−オキソ−４−（２，６，６−トリメチルシクロヘキサ−２−エン−１−イル）ブタン−２−イルアミノ）−３−（４−オキソ−４−（２，６，６−トリメチルシクロヘキサ−２−エン−１−イル）ブタン−２−イルチオ）プロパネート、エチル  ２−（４−オキソ−４−（２，６，６−トリメチルシクロヘキサ−２−エン−１−イル）ブタン−２−イルアミノ）−３−（４−オキソ−４−（２，６，６−トリメチルシクロヘキサ−２−エン−１−イル）ブタン−２−イルチオ）プロパネート、メチル  ２−（２−オキソ−４−（２，６，６−トリメチルシクロヘキサ−１−エン−１−イル）ブタン−４−イルアミノ）−３−（２−オキソ−４−（２，６，６−トリメチルシクロヘキサ−１−エン−１−イル）ブタン−４−イルチオ）プロパネート、エチル  ２−（２−オキソ−４−（２，６，６−トリメチルシクロヘキサ−１−エン−１−イル）ブタン−４−イルアミノ）−３−（２−オキソ−４−（２，６，６−トリメチルシクロヘキサ−１−エン−１−イル）ブタン−４−イルチオ）プロパネート、メチル  ２−（２−オキソ−４−（２，６，６−トリメチルシクロヘキサ−２−エン−１−イル）ブタン−４−イルアミノ）−３−（２−オキソ−４−（２，６，６−トリメチルシクロヘキサ−２−エン−１−イル）ブタン−４−イルチオ）プロパネート、エチル  ２−（２−オキソ−４−（２，６，６−トリメチルシクロヘキサ−２−エン−１−イル）ブタン−４−イルアミノ）−３−（２−オキソ−４−（２，６，６−トリメチルシクロヘキサ−２−エン−１−イル）ブタン−４−イルチオ）プロパネート、３−（ドデシルチオ）−１−（２，６，６−トリメチルシクロヘキサ−３−エン−１−イル）−１−ブタノン、３−（ドデシルチオ）−１−（２，６，６−トリメチルシクロヘキサ−２−エン−１−イル）−１−ブタノン、４−（ドデシルチオ）−４−（２，６，６−トリメチルシクロヘキサ−２−エン−１−イル）−２−ブタノン、４−（ドデシルチオ）−４−（２，６，６−トリメチルシクロヘキサ−１−エン−１−イル）−２−ブタノン、２−ドデシルスルファニル−５−メチル−ヘプタン−４−オン、２−シクロヘキシル−１−ドデシルスルファニル−ヘプト−６−エン−３−オン、３−（ドデシルチオ）−５−イソプロペニル−２−メチルシクロヘキサノン等が挙げられる。
これらの中でも、香りの持続性を高める観点から、３−（ドデシルチオ）−１−（２，６，６−トリメチルシクロヘキサ−３−エン−１−イル）−１−ブタノン、４−（ドデシルチオ）−４−（２，６，６−トリメチルシクロヘキサ−２−エン−１−イル）−２−ブタノン、４−（ドデシルチオ）−４−（２，６，６−トリメチルシクロヘキサ−１−エン−１−イル）−２−ブタノン及び３−（ドデシルチオ）−５−イソプロペニル−２−メチルシクロヘキサノンからなる群より選択される少なくとも１種の化合物が好ましい。
その中でも、３−（ドデシルチオ）−１−（２，６，６−トリメチルシクロヘキサ−３−エン−１−イル）−１−ブタノン及び４−（ドデシルチオ）−４−（２，６，６−トリメチルシクロヘキサ−２−エン−１−イル）−２−ブタノンからなる群より選択される少なくとも１種の化合物が特に好ましい。
（Ｄ）成分は、市場において容易に入手可能であり、また、公知の方法によっても合成可能である。
（Ｄ）成分は、１種単独で用いられてもよいし、２種以上が組み合わされて用いられてもよい。
【００３３】
本発明の液体洗浄剤が（Ｄ）成分を含有する場合、液体洗浄剤組成物の総質量に対する（Ｄ）成分の含有量は、０．０００１〜３質量％が好ましく、０．００１〜０．５質量％がより好ましく、０．００６〜０．２質量％がさらに好ましく、０．０１〜０．１質量％が特に好ましい。
（Ｄ）成分の含有量が、前記の好ましい下限値以上であると、香気強度がより高められるとともに、さらっとした着心地の持続性がより高められる。また前記の好ましい上限値以下であれば、衣類上に香りが強く残りすぎないため好ましい。
【００３４】
本発明の液体洗浄剤組成物中の前記（Ｂ）成分と前記（Ｃ）成分の質量比率（Ｂ）／（Ｃ）は、１／１〜２０／１であることが好ましい。（Ｂ）成分と（Ｃ）成分の質量比率がこの範囲であれば、化繊衣類等のさらっとした着心地及び吸水性を、洗濯処理を施す前よりも高めやすくなる。（Ｂ）／（Ｃ）は、２／１〜２０／１がより好ましく、５／１〜２０／１がさらに好ましく、８／１〜１５／１が特に好ましい。
【００３５】
＜任意成分＞
本発明の液体洗浄剤は、必要に応じて、本発明の効果を損なわない範囲で、上記（Ａ）〜（Ｄ）成分以外の任意成分を含有することができる。
任意成分としては、例えば、（Ｅ）成分のようなカチオン性ポリマー、水、（Ａ）〜（Ｂ）成分以外の界面活性剤（任意界面活性剤）、水混和性有機溶剤、減粘剤、可溶化剤、溶媒、両性界面活性剤、金属イオン捕捉剤（キレート剤）、無機塩、酸化防止剤、プロテアーゼ、リパーゼ、セルラーゼ等の酵素、（Ｃ）成分以外の風合い向上剤、アルカノールアミン等のアルカリビルダー、ハイドロトロープ剤、シリコーン化合物、保存安定性向上剤、防腐剤、蛍光剤、移染防止剤、再汚染防止剤、パール剤、ソイルリリース剤、着香剤、着色剤、乳濁剤、天然物等のエキス、ｐＨ調整剤等が挙げられる。
（Ｅ）成分のカチオン性ポリマーとしては、例えば、重量平均分子量は、通常１，０００〜５，０００，０００であり、３，０００〜２，０００，０００が好ましく、１０，０００〜２,０００，０００がより好ましい。なお、本明細書における重量平均分子量は、ポリエチレングリコールを標準物質として、ゲル浸透クロマトグラフィー（ＧＰＣ）により求めた値を意味する。（Ｅ）成分の重合の形態は、特に限定されず、ブロック重合、ランダム重合又はグラフト重合のいずれであってもよい。
これらのポリマーとしては、合成品を用いてもよいし、市販品を用いてもよい。
上記ポリマーは、特に限定されないが、通常のラジカル重合により製造できる。例えば、ジアリルジメチルアンモニウムクロライドや、アクリルアミド等の（Ｅ）成分を構成するモノマーを、塊状重合、溶液重合、乳化重合、懸濁重合等の重合方法により重合することで製造できる。重合の際には、通常のラジカル重合に用いられる重合開始剤を使用することが好ましく、例えば、ベンゾイルパーオキサイド、過硫酸カリウム等の過酸化物、アゾビスイソブチロニトリル、アゾビスシアノ吉草酸等のアゾ化合物を用いることができる。
上記コポリマーの市販品としては、例えばＬｕｂｒｉｚｏｌ社製の商品名「マーコート５５０」、「マーコート７４０」、「マーコート２２００」「Ｎｏｖｅｒｉｔｅ３００」等が挙げられる。
上記ターポリマーの市販品としては、例えばＬｕｂｒｉｚｏｌ社製の商品名「マーコート３３３０」、「マーコート３９４０」等が挙げられる。
これらの（Ｅ）成分は、１種が単独で用いられても、２種以上が組み合わされて用いられてもよい。
【００３６】
液体洗浄剤の総量に対する水の含有量は、例えば、２０〜８０質量％が好ましく、３０〜５０質量％がより好ましい。
本発明の一つの側面としては、本発明の液体洗浄剤組成物は前記（Ａ）成分、（Ｂ）成分、（Ｃ）成分、及び水を含んでいることが好ましく、（Ａ）成分、（Ｂ）成分、（Ｃ）成分、及び水の質量の和は１００質量％を超えない。
本発明の一つの側面としては、本発明の液体洗浄剤組成物は前記（Ａ）成分、（Ｂ）成分、（Ｃ）成分、（Ｄ）成分、及び水を含んでいることが好ましく、（Ａ）成分、（Ｂ）成分、（Ｃ）成分、（Ｄ）成分、及び水の質量の和は１００質量％を超えない。
【００３７】
任意界面活性剤としては、高級脂肪酸塩（石鹸）、カチオン界面活性剤等が挙げられる。
高級脂肪酸塩は、炭素数８〜２２の脂肪酸塩を意味する。
本発明の液体洗浄剤は、高級脂肪酸塩を含有することで、すすぎ性を高められる。
高級脂肪酸塩としては、炭素数１０〜２０の脂肪酸塩が好ましく、例えば、カプリル酸、カプリン酸、ラウリン酸、ミリスチン酸、パルミチン酸、ステアリン酸、イソステアリン酸、ヒドロキシステアリン酸、オレイン酸、ベヘン酸等の単一脂肪酸の塩、ヤシ油脂肪酸、牛脂脂肪酸等の混合脂肪酸の塩等が挙げられる。
これらの塩としては、ナトリウム、カリウム等のアルカリ金属塩、アンモニウム塩、モノエタノールアミン塩、ジエタノールアミン塩、トリエタノールアミン塩、２−アミノ−２−メチルプロパノール塩、２−アミノ−２−メチルプロパンジオール等のアルカノールアミン塩、リジン、アルギニン等の塩基性アミノ酸塩等が挙げられる。
【００３８】
高級脂肪酸塩は、１種単独で用いられてもよいし、２種以上が組み合わされて用いられてもよい。
高級脂肪酸塩の含有量は、液体洗浄剤の総質量に対して、０．５〜８質量％が好ましく、１〜５質量％がより好ましい。高級脂肪酸塩の含有量が、上記下限値以上であれば、すすぎ性をより高められる。上記上限値以下であれば、液安定性を損ないにくい。
【００３９】
カチオン界面活性剤としては、従来公知の化合物が挙げられる。ただし、本発明の液体洗浄剤組成物は、液安定性の向上を図る観点から、カチオン界面活性剤を含まない方が好ましい。なお、カチオン界面活性剤を含まないとは、液体洗浄剤組成物の総質量に対するカチオン界面活性剤の含有量が０．１質量％以下であることを意味する。
【００４０】
本発明の液体洗浄剤は、水混和性有機溶剤を含有することが好ましい。
水混和性有機溶剤としては、エタノール、１−プロパノール、２−プロパノール、１−ブタノール等のアルコール類、プロピレングリコール、ブチレングリコール、ヘキシレングリコール等のグリコール類、ジエチレングリコール、トリエチレングリコール、テトラエチレングリコール、質量平均分子量約２００〜１０００のポリエチレングリコール、ジプロピレングリコール等のポリグリコール類、ジエチレングリコールモノメチルエーテル、ジエチレングリコールモノエチルエーテル、ジエチレングリコールモノブチルエーテル（ブチルカルビトールともいう）、ジエチレングリコールジメチルエーテル等のアルキルエーテル類等が挙げられる。
これらの中でも、臭気の少なさ、入手のしやすさ、液体洗浄剤とした場合の液安定性、流動性等から、エタノール、プロピレングリコール、ポリエチレングリコール、ジエチレングリコールモノブチルエーテル（ブチルカルビトールともいう）が好ましい。
水混和性有機溶剤は、１種単独で用いられてもよいし、２種以上が組み合わされて用いられてもよい。
水混和性有機溶剤の含有量は、液体洗浄剤の総質量に対して、３〜２０質量％が好ましい。
なお、本発明において、水混和性有機溶剤とは、２５℃のイオン交換水１Ｌに５０ｇ以上溶解する有機溶剤をいう。
【００４１】
減粘剤及び可溶化剤としては、芳香族スルホン酸又はその塩、例えば、トルエンスルホン酸、キシレンスルホン酸、クメンスルホン酸、置換もしくは非置換ナフタレンスルホン酸、トルエンスルホン酸塩、キシレンスルホン酸塩、クメンスルホン酸塩、置換もしくは非置換ナフタレンスルホン酸塩が挙げられる。
塩としては、ナトリウム塩、カリウム塩、カルシウム塩、マグネシウム塩、アンモニウム塩、又はアルカノールアミン塩等が挙げられる。
これらの酸又はその塩は、１種単独で用いられてもよいし、２種以上が組み合わされて用いられてもよい。
減粘剤及び可溶化剤の配合量は液体洗浄剤の総質量に対して、好ましくは０．０１〜１５質量％である。この範囲であれば、液体洗浄剤組成物の液表面において、前記液体洗浄剤組成物がゲル化することにより形成される皮膜の生成抑制効果が向上する。
【００４２】
金属イオン捕捉剤（キレート剤ともいう）としては、マロン酸、コハク酸、リンゴ酸、ジグリコール酸、酒石酸、クエン酸等が挙げられる。
金属イオン捕捉剤は、１種単独で用いられてもよいし、２種以上が組み合わされて用いられてもよい。
金属イオン捕捉剤の配合量は、液体洗浄剤組成物の総質量に対し、０．０１〜２０質量％が好ましい。
【００４３】
酸化防止剤としては本発明の効果を有する限り特に限定はされないが、洗浄力と液安定性とが良好であることから、フェノール系酸化防止剤が好ましく、ジブチルヒドロキシトルエン、ブチルヒドロキシアニソール等のモノフェノール系酸化防止剤、２，２’−メチレンビス（４−メチル−６−ｔ−ブチルフェノール）等のビスフェノール系酸化防止剤、ｄｌ−α−トコフェロール等の高分子型フェノール系酸化防止剤がより好ましく、モノフェノール系酸化防止剤、高分子型酸化防止剤が更に好ましい。
モノフェノール系酸化防止剤のなかでは、ジブチルヒドロキシトルエンが特に好ましい。高分子型フェノール酸化防止剤のなかでは、ｄｌ−α−トコフェロールが特に好ましい。
酸化防止剤は、１種単独で用いられてもよいし、２種以上が組み合わされて用いられてもよい。
酸化防止剤の配合量は、液体洗浄剤組成物の総質量に対し、０．０１〜２質量％が好ましい。
防腐剤として、例えばローム・アンド・ハース社製の「ケーソン（登録商標）ＣＧ」（商品名）等を、例えば液体洗浄剤の総質量に対して、０．００１〜１質量％含有してもよい。
【００４４】
保存安定性を向上させることを目的として安息香酸やその塩（防腐剤としての効果もある）を含有してもよい。塩としては、ナトリウム塩、カリウム塩、カルシウム塩、マグネシウム塩、アンモニウム塩、又はアルカノールアミン塩等が挙げられる。安息香酸（塩）の配合量は、液体洗浄剤組成物の総質量に対し、０．１〜５質量％が好ましく、０．１５〜２．０質量％がより好ましい。
本発明の液体洗浄剤組成物が酵素を含む場合、酵素安定化を目的としてホウ酸、ホウ砂、ギ酸又はその塩、及びカルシウム塩として塩化カルシウム、硫酸カルシウム等のカルシウム塩類を、液体洗浄剤の総質量に対して、０〜２質量％含有してもよい。
【００４５】
（Ｃ）成分以外の風合い向上剤としては、ジメチルシリコーン、ポリエーテル変性シリコーン、アミノ変性シリコーン等のシリコーンが挙げられる。これらの風合い向上剤の含有量は、液体洗浄剤の総質量に対して、例えば０〜５質量％とされる。
【００４６】
商品の付加価値等を向上させることを目的として、香料、着色剤や乳濁化剤、天然物などのエキス等を含有してもよい。
【００４７】
本発明の液体洗浄剤は、２５℃におけるｐＨが４〜９であることが好ましく、ｐＨ４〜８であることがより好ましい。ｐＨがこのような範囲にあると液体洗浄剤組成物の保存安定性を良好に維持できる。
液体洗浄剤のｐＨは、必要に応じて、ｐＨ調整剤を配合することにより調整できる。ｐＨ調整剤としては、本発明の効果を損なわない限りにおいて随意であるが、硫酸、水酸化ナトリウム、水酸化カリウム、アルカノールアミン等が、酵素の安定性の面から好ましい。
【００４８】
（製造方法）
本発明の液体洗浄剤は、従来公知の製造方法によって製造される。
液体洗浄剤の製造方法は、例えば、分散媒である水に、（Ａ）〜（Ｃ）成分及び必要に応じてその他の成分を分散することで得られる。
【００４９】
（使用方法）
本発明の一つの側面は、本発明の液体洗浄剤組成物を含む洗浄液に化繊衣類を含む被洗物を浸漬し、洗濯機で洗浄を行う、化繊衣類を含む被洗物の洗濯方法である。
液体洗浄剤の使用方法としては、例えば、液体洗浄剤を単独で、又は公知の漂白剤や柔軟剤と共に水に入れて洗浄液とし、この洗浄液に被洗物を入れ洗濯機で洗浄する方法、洗浄液、又は液体洗浄剤を被洗物に塗布し、これを洗濯機で洗浄する方法等が挙げられる。
被洗物としては、例えば、衣類、布帛、シーツ、カーテン、絨毯等の繊維製品が挙げられる。
本発明の液体洗浄剤組成物は、化繊衣類等の着心地及び吸水性を、洗濯処理を施す前よりも高めることができるため、化繊衣類等の洗浄に好適に用いることができる。
すなわち、本発明の１つの態様は、本発明の液体洗浄剤組成物を用いることを特徴とする、化繊衣類を含む被洗物の洗濯処理方法である。
前記洗浄液中の液体洗浄剤の含有量は、特に限定されない。水に対する液体洗浄剤の添加量は、例えば、水１０Ｌ当たり、液体洗浄剤２〜１０ｍＬとされる。
【００５０】
本発明の液体洗浄剤は、（Ａ）〜（Ｃ）成分を含み、（Ａ）成分が、脂肪酸の炭素数が１１〜１３の脂肪酸メチルエステルエトキシレート（ＥＯの平均付加モル数１３〜１５）、及びポリオキシエチレンアルキル（炭素数１２〜１４）エーテル（ＥＯの平均付加モル数１３〜１５）から選ばれる少なくとも１種のノニオン界面活性剤を含み、（Ｂ）成分が直鎖アルキルベンゼンスルホン酸塩、ポリオキシエチレンアルキルエーテル硫酸塩、ポリオキシアルキレンアルキルエーテル硫酸エステル塩、α−スルホ脂肪酸メチルエステル塩、及びα−オレフィンスルホン酸塩から選ばれる少なくとも１種のアニオン界面活性剤を含むことが好ましい。
【実施例】
【００５１】
以下、実施例を示して本発明を詳細に説明するが、本発明は以下の記載によって限定されるものではない。【００５２】
（使用原料）
＜（Ａ）成分＞
Ａ−１：脂肪酸メチルエステルエトキシレート（ライオンケミカル株式会社製、商品名「ＣＥＡＯ−９０」）（式（１）中、Ｘ１がＣＯＯであり、ＡＯがＥＯであり、ｎが１５であり、Ｒ２がメチル基であり、Ｒ１が炭素数１１のアルキル基と炭素数１３のアルキル基の混合物である化合物）。
Ａ−２：ポリオキシエチレンアルキルエーテル（ライオンケミカル株式会社製、商品名「ＬＭＡＯ−９０」）（式（１）中、Ｒ１が炭素数１２〜１４のアルキル基であり、Ｘ１がＯであり、ＡＯがＥＯであり、ｎが１５であり、Ｒ２が水素原子の化合物）。
＜（Ｂ）成分＞
Ｂ−１：直鎖アルキルベンゼンスルホン酸（ＬＡＳ）（ライオン株式会社製、商品名「ライポンＬＨ−２００」）。
Ｂ−２：ポリオキシエチレンアルキルエーテル硫酸ナトリウム（ＡＥＳ）（新日本理化株式会社製、商品名「シノリン（登録商標）ＳＰＥ−１１５０」）。
Ｂ−３：ポリオキシアルキレンアルキルエーテル硫酸エステルのモノエタノールアミン塩（ＡＥＰＳ）。常法により、１−ドデカノールに平均付加モル数１．０モルのプロピレンオキシドと、平均付加モル数２．０モルのエチレンオキシドをこの順に付加したのち、これを硫酸化しモノエタノールアミンで中和することにより製造したもの。
Ｂ−４：α−スルホ脂肪酸メチルエステル塩（ＭＥＳ）、特開平８−８１６９４号公報に記載の方法で製造したもの。
Ｂ−５：α−オレフィンスルホン酸ナトリウム（ＡＯＳ）（ライオン株式会社製、商品名「リポラン（登録商標）ＬＢ−８４０」）。
＜（Ｃ）成分＞
Ｃ−１：ＷｅｔＳｏｆｔ  ＣＴＡ（旭化成ワッカーシリコーン社製、アミノポリエーテル変性シリコーン）。
Ｃ−２：ＢＹ１６−８９１（東レ・ダウコーニング社製、アミドポリエーテル変性シリコーン）。
Ｃ−３：ＢＹ１６−８９３（東レ・ダウコーニング社製、アミノポリエーテル変性シリコーン）。
Ｃ−４：ＫＦ−８８９（信越シリコーン社製、アミノポリエーテル変性シリコーン）。
＜（Ｄ）成分＞
Ｄ−１：３−（ドデシルチオ）−１−（２，６，６−トリメチルシクロヘキサ−３−エン−１−イル）−１−ブタノン。特表２００５−５１１７１０号公報の例４に記載の化合物。上記式（ｄ−１）における、Ｊが化学式（Ｊ−１）（３，４位間に二重結合を有する）で表される基、Ｇがドデシル基、Ｑが水素原子である化合物。
Ｄ−２：４−（ドデシルチオ）−４−（２，６，６−トリメチルシクロヘキサ−２−エン−１−イル）−２−ブタノン。原料としてドデカンチオール（東京化成工業株式会社製）とβヨノン（ヴェ・マンフィス香料株式会社製）とを用い、特表２００５−５１１７１０号公報の例４に記載の合成方法と同様にして合成した化合物。上記式（ｄ−１）における、Ｊが化学式（Ｊ−２）（１，２位間に二重結合を有する）で表される基、Ｇがドデシル基、Ｑが水素原子である化合物。【００５３】
＜任意成分＞
Ｅ−１：ジメチルジアリルアンモニウム・アクリルアミドコポリマー、商品名「Ｎｏｖｅｒｉｔｅ３００」（Ｌｕｂｒｉｚｏｌ社製）。
Ｅ−２：ジメチルジアリルアンモニウム・アクリルアミドコポリマー、商品名「マーコート７４０」（Ｌｕｂｒｉｚｏｌ社製）。
＜共通成分Ｘ＞
高級脂肪酸塩：ヤシ脂肪酸ナトリウム（日油株式会社製）（液体洗浄剤の総質量に対して２質量％配合）。
金属イオン補捉剤（キレート剤）：クエン酸（一方社油脂工業株式会社製）（液体洗浄剤の総質量に対して０．１質量％配合）。
保存安定性向上剤：安息香酸ナトリウム（東亜合成株式会社製）（液体洗浄剤の総質量に対して０．５質量％配合）。
保存安定性向上剤：ｐ−トルエンスルホン酸（協和発酵工業株式会社製、商品名「パラトルエンスルホン酸」）（液体洗浄剤の総質量に対して０．３質量％配合）。
保存安定性向上剤：乳酸ナトリウム（ピューラック社製、商品名「発酵乳酸ナトリウム」。（液体洗浄剤の総質量に対して１.０質量％配合）。
酵素：商品名「コロナーゼ（登録商標）４８Ｌ」（ノボザイムズ社製）（液体洗浄剤の総質量に対して０．５質量％配合）。
防腐剤：イソチアゾロン液（ローム・アンド・ハース社製、商品名「ケーソンＣＧ」）（液体洗浄剤の総質量に対して０．０１質量％配合）。
酸化防止剤：ジブチルヒドロキシトルエン（Ｄｅｇｕｓｓａ社製、商品名「Ｋ−ＮＯＸ（登録商標）  ＢＨＴ」）（液体洗浄剤の総質量に対して０．０１質量％配合）。
水混和性有機溶剤：エタノール（日本アルコール販売株式会社製、商品名「特定アルコール９５度合成」）（液体洗浄剤の総質量に対して７質量％配合）。
水混和性有機溶剤：ブチルカルビトール（三協化学株式会社製、商品名「ブチルカルビトール」）（液体洗浄剤の総質量に対して２質量％配合）。
香料：特開２００３−２６８３９８号公報の表７〜１４に記載の香料組成物Ａ（液体洗浄剤の総質量に対して２．０質量％配合）。
着色剤：色素（癸巳化成株式会社製、商品名「緑色３号」）（液体洗浄剤の総質量に対して０．０００２質量％配合）。
ｐＨ調整剤：水酸化ナトリウム（鶴見曹達株式会社製）、モノエタノールアミン（株式会社日本触媒製）（必要量）。
溶媒：水（精製水）（バランス）。
ｐＨ調整剤の含有量「必要量」は、液体洗浄剤を表中のｐＨにするのに要した量である。
水の含有量「バランス」は、液体洗浄剤を全体で１００質量％とするのに必要な量である。【００５４】
＜共通成分Ｙ＞
高級脂肪酸塩：ヤシ脂肪酸ナトリウム（日油株式会社製）（液体洗浄剤の総質量に対して０．５質量％配合）。
金属イオン補捉剤（キレート剤）：クエン酸（一方社油脂工業株式会社製）（液体洗浄剤の総質量に対して０．０５質量％配合）。
保存安定性向上剤：安息香酸ナトリウム（東亜合成株式会社製）（液体洗浄剤の総質量に対して０．５質量％配合）。
保存安定性向上剤：ｐ−トルエンスルホン酸（協和発酵工業株式会社製、商品名「パラトルエンスルホン酸」）（液体洗浄剤の総質量に対して０．３質量％配合）。
水混和性有機溶剤：ポリエチレングリコール（ライオンケミカル株式会社製、商品名「ＰＥＧ＃１０００−Ｌ６０」）（液体洗浄剤の総質量に対して３質量％配合）。
塩素補捉剤：ステアリン酸ジメチルアミノプロピルアミド（ライオン・スペシャリティ・ケミカルズ株式会社製、商品名「リポミンＡＰＡ１６８−６５Ｅ」）（液体洗浄剤の総質量に対して１質量％配合）。
香料：特開２００３−２６８３９８号公報の表７〜１４に記載の香料組成物Ａ（液体洗浄剤の総質量に対して１．０質量％配合）。
着色剤：色素（癸巳化成株式会社製、商品名「緑色３号」）（液体洗浄剤の総質量に対して０．０００１質量％配合）。
ｐＨ調整剤：水酸化ナトリウム（鶴見曹達株式会社製）、モノエタノールアミン（株式会社日本触媒製）（必要量）。
溶媒：水（精製水）（バランス）。
ｐＨ調整剤の含有量「必要量」は、液体洗浄剤を表中のｐＨにするのに要した量である。
水の含有量「バランス」は、液体洗浄剤を全体で１００質量％とするのに必要な量である。【００５５】
＜共通成分Ｚ＞
高級脂肪酸塩：ヤシ脂肪酸ナトリウム（日油株式会社製）（液体洗浄剤の総質量に対して６質量％配合）。
金属イオン補捉剤（キレート剤）：クエン酸（一方社油脂工業株式会社製）（液体洗浄剤の総質量に対して０．３質量％配合）。
保存安定性向上剤：安息香酸ナトリウム（東亜合成株式会社製）（液体洗浄剤の総質量に対して０．２質量％配合）。
保存安定性向上剤：ｐ−トルエンスルホン酸（協和発酵工業株式会社製、商品名「パラトルエンスルホン酸」）（液体洗浄剤の総質量に対して１質量％配合）。
酵素：商品名「コロナーゼ（登録商標）４８Ｌ」（ノボザイムズ社製）（液体洗浄剤の総質量に対して０．５質量％配合）。
防腐剤：イソチアゾロン液（ローム・アンド・ハース社製、商品名「ケーソンＣＧ」）（液体洗浄剤の総質量に対して０．０１質量％配合）。
水混和性有機溶剤：プロピレングリコール（中央化成（株）社製、商品名「ＲＧＰ−１０」）（液体洗浄剤の総質量に対して２質量％配合）。
水混和性有機溶剤：グリセリン（試薬）（液体洗浄剤の総質量に対して０．５質量％配合）。
ｐＨ調整剤：水酸化ナトリウム（鶴見曹達株式会社製）、モノエタノールアミン（株式会社日本触媒製）（必要量）。
香料：特開２００２−１４６３９９号公報の表１１〜１８に記載の香料組成物Ａ（液体洗浄剤の総質量に対して１質量％配合）。
色素：Ｍｉｌｌｉｋｅｎ（ミリケン）社製、商品名「ＬＩＱＵＩＴＩＮＴ  ＢＬＵＥ  
ＨＰ」（液体洗浄剤の総質量に対して０．０００２質量％配合）。
ｐＨ調整剤：水酸化ナトリウム（鶴見曹達株式会社製）、モノエタノールアミン（株式会社日本触媒製）（必要量）
溶媒：水（精製水）（バランス）。
ｐＨ調整剤の含有量「必要量」は、液体洗浄剤を表中のｐＨにするのに要した量である。
水の含有量「バランス」は、液体洗浄剤を全体で１００質量％とするのに必要な量である。【００５６】
＜共通成分Ｕ＞
金属イオン補捉剤（キレート剤）：クエン酸（一方社油脂工業株式会社製）（液体洗浄剤の総質量に対して０．２質量％配合）。
高級脂肪酸塩：ヤシ脂肪酸ナトリウム（日油株式会社製）（液体洗浄剤の総質量に対して１．５質量％配合）。
酵素：商品名「Ｓａｖｉｎａｓｅ  Ｕｌｔｒａ（登録商標）１６Ｌ」（ノボザイムズ社製）（液体洗浄剤の総質量に対して０．３質量％配合）。
防腐剤：イソチアゾロン液（ローム・アンド・ハース社製、商品名「ケーソンＣＧ」）（液体洗浄剤の総質量に対して０．０１質量％配合）。
ｐＨ調整剤：水酸化ナトリウム（鶴見曹達株式会社製）。
香料：特開２００２−１４６３９９号公報の表１１〜１８に記載の香料組成物Ａ（液体洗浄剤の総質量に対して1質量％配合）。
色素：Ｍｉｌｌｉｋｅｎ（ミリケン）社製、商品名「ＬＩＱＵＩＴＩＮＴ  ＢＬＵＥ  ＨＰ」（液体洗浄剤の総質量に対して０．００１質量％配合）。
溶媒：水（精製水）（バランス）。
ｐＨ調整剤の含有量「必要量」は、液体洗浄剤を表中のｐＨにするのに要した量である。
水の含有量「バランス」は、液体洗浄剤を全体で１００質量％とするのに必要な量である。【００５７】
＜共通成分Ｖ＞
金属イオン補捉剤（キレート剤）：クエン酸（一方社油脂工業株式会社製）（液体洗浄剤の総質量に対して０．２質量％配合）。
保存安定性向上剤：安息香酸ナトリウム（東亜合成株式会社製）（液体洗浄剤の総質量に対して０．５質量％配合）。
酵素：商品名「Ｓａｖｉｎａｓｅ  Ｅｖｉｔｙ（登録商標）１６Ｌ」（ノボザイムズ社製）（液体洗浄剤の総質量に対して０．３質量％配合）。
安定化剤：塩化カルシウム（関東化学株式会社製）（液体洗浄剤の総質量に対して０．１質量％配合）。
防腐剤：イソチアゾロン液（ローム・アンド・ハース社製、商品名「ケーソンＣＧ」）（液体洗浄剤の総質量に対して０．０１質量％配合）。
分散剤：商品名「ＳｏｋａｌａｎＨＰ２０」（ＢＡＳＦ社製）（液体洗浄剤の総質量に対して０．５質量％配合）。
ｐＨ緩衝剤：モノエタノールアミン（株式会社日本触媒製）（液体洗浄剤組成物の総質量に対して０．５質量％配合）。
ｐＨ調整剤：水酸化ナトリウム（鶴見曹達株式会社製）、硫酸（関東化学株式会社製）（必要量）。
香料：特開２００２−１４６３９９号公報の表１１〜１８に記載の香料組成物Ａ（液体洗浄剤の総質量に対して１質量％配合）。
色素：Ｍｉｌｌｉｋｅｎ（ミリケン）社製、商品名「ＬＩＱＵＩＴＩＮＴ  ＢＬＵＥ  ＨＰ」（液体洗浄剤の総質量に対して０．０００２質量％配合）。
溶媒：水（精製水）（バランス）。
ｐＨ調整剤の含有量「必要量」は、液体洗浄剤を表中のｐＨにするのに要した量である。
水の含有量「バランス」は、液体洗浄剤を全体で１００質量％とするのに必要な量である。【００５８】
＜共通成分Ｗ＞
金属イオン補捉剤（キレート剤）：クエン酸（一方社油脂工業株式会社製）（液体洗浄剤の総質量に対して０．０５質量％配合）。
保存安定性向上剤：安息香酸ナトリウム（東亜合成株式会社製）（液体洗浄剤の総質量に対して０．５質量％配合）。
保存安定性向上剤：ｐ−トルエンスルホン酸（協和発酵工業株式会社製、商品名「パラトルエンスルホン酸」）（液体洗浄剤の総質量に対して１質量％配合）。
水混和性有機溶剤：ポリエチレングリコール（ライオンケミカル株式会社製、商品名「ＰＥＧ＃１０００−Ｌ６０」）（液体洗浄剤の総質量に対して１．５質量％配合）。
酵素：商品名「コロナーゼ（登録商標）４８Ｌ」（ノボザイムズ社製）（液体洗浄剤の総質量に対して０．５質量％配合）。
分散剤：商品名「ＳｏｋａｌａｎＨＰ２０」（ＢＡＳＦ社製）（液体洗浄剤の総質量に対して１．０質量％配合）。
防腐剤：イソチアゾロン液（ローム・アンド・ハース社製、商品名「ケーソンＣＧ」）（液体洗浄剤の総質量に対して０．０１質量％配合）。
ｐＨ調整剤：水酸化ナトリウム（鶴見曹達株式会社製）。
香料：特開２００２−１４６３９９号公報の表１１〜１８に記載の香料組成物Ａ（液体洗浄剤の総質量に対して１質量％配合）。
色素：Ｍｉｌｌｉｋｅｎ（ミリケン）社製、商品名「ＬＩＱＵＩＴＩＮＴ  ＢＬＵＥ  ＨＰ」（液体洗浄剤の総質量に対して０．０００２質量％配合）。
溶媒：水（精製水）（バランス）。
ｐＨ調整剤の含有量「必要量」は、液体洗浄剤を表中のｐＨにするのに要した量である。
水の含有量「バランス」は、液体洗浄剤を全体で１００質量％とするのに必要な量である。【００５９】
＜その他成分＞
Ａ’−４：ポリオキシエチレンアルキル（炭素数１２〜１４）エーテル（ＥＯの平均付加モル数１２）（ライオンケミカル株式会社製、商品名「ＬＭＡＬ−９０」）。
Ａ’−５：ポリオキシエチレンアルキル（炭素数１２〜１４）エーテル（ＥＯの平均付加モル数７）（ライオンケミカル株式会社製、商品名「レオックス（登録商標）ＣＬ−７０」）。
Ｃ’−５：ＢＹ１６−２１３（東レ・ダウコーニング社製、アミノ変性シリコーン）。
Ｃ’−６：ＣＦ１１８８Ｎ（東レ・ダウコーニング社製、ポリエーテル変性シリコーン）。【００６０】
（実施例１〜３４、比較例１〜１１）
表１〜４に示す組成に従い、（Ａ）〜（Ｄ）成分及び共通成分と水を５００ｍＬビーカーに加え、マグネットスターラー（ＭＩＴＡＭＵＲＡ  ＫＯＧＹＯ  ＩＮＣ．製）で１０分間攪拌混合して液体洗浄剤を得た。得られた液体洗浄剤のｐＨ（２５℃）は、ｐＨメーター（東亜ディーケーケー株式会社製、製品名：ＨＭ−３０Ｇ）を用い、２５℃に調温した溶液に前記ｐＨメーターの電極を入れ、２分後の値を読み取ることにより測定した。
なお、表中の配合量は純分換算値である。表中に配合量が記載されていない成分は、配合されていない。【００６１】
＜評価方法＞
（洗濯処理方法）
液体洗浄剤として非イオン界面活性剤（ラウリルアルコール１モル当たり平均９モルの酸化エチレンを付加させたアルコールエトキシレート）の２０質量％水溶液を用い、浴比（洗濯水／被洗物総質量）が２０倍となる条件で、洗浄１５分、すすぎ１０分、脱水５分を行い、用いた試験布の前処理を行った。
全自動電気洗濯機（Ｈａｉｅｒ社製、型式：ＪＷ−Ｚ２３Ａ）に、市販のポリエステル製肌シャツ（試験衣類、ポリエステル１００％の衣類）を１枚、市販のアクリルジャージを１０ｃｍ×１０ｃｍに裁断した試験片を１０枚、綿肌シャツ４枚（綿１００％の衣類）（Ｂ．Ｖ．Ｄ．社製）（全被洗物の質量合計６００ｇ）を投入し、表に示した液体洗浄剤組成物を５ｍＬ添加した。その後、浴比（洗濯水／被洗物総質量）が２０倍となる条件で、洗浄１５分、すすぎ１０分、脱水５分を行い、試験衣類と試験片の洗濯処理を行った。【００６２】
（化繊衣類のさらっとした肌触り評価（１））
実施例１〜３４、比較例１〜１１の液体洗浄剤について、下記の評価方法に従って化繊衣類のさらっとした肌触り評価を行った。
洗濯終了後、前記のポリエステル製肌シャツを２５℃、湿度６５％ＲＨの恒温恒湿室に１日放置して試験衣類を乾燥させた。この試験衣類と洗濯処理を施す前のポリエステル製肌シャツについて専門パネラー１０人が袖を通す動作を行い、各試験衣類について下記の評価基準に基づいて点数付けを行った。１０人のパネラーの平均値を下記の判定基準に基づいて評価し、Ｃ評価以上（平均値が２．５点以上のもの）を合格とした。
なお、この肌触り評価は、上記の恒温恒湿室にて実施した。
［評価基準］
１点：洗濯処理を施す前の衣類と同等の着心地、又は、洗濯処理を施す前の衣類の方がさらっとした着心地である。
２点：洗濯処理を施す前の衣類よりもややさらっとした着心地である。
３点：洗濯処理を施す前の衣類よりもさらっとした着心地である。
４点：洗濯処理を施す前の衣類よりもかなりさらっとした着心地である。
５点：洗濯処理を施す前の衣類よりも非常にさらっとした着心地である。
［判定基準］
Ａ：平均値が４．５点以上、Ｂ：平均値が３．５点以上４．５点未満、Ｃ：平均値が２．５点以上３．５点未満、Ｄ：平均値が２．５点未満。【００６３】
（化繊衣類のさらっとした肌触り評価（２））
実施例２０〜３４及び比較例１０〜１１の液体洗浄剤に関して、下記の評価方法に従って化繊衣類のさらっとした着心地の持続性について評価を行った。着心地の持続性は、さらっとした着心地が２週間持続するかどうかで判定を行った。（１）と同様、洗濯終了後、前記のポリエステル製肌シャツを２５℃、湿度６５％ＲＨの恒温恒湿室に２週間放置した。この試験衣類と洗濯処理を施す前のポリエステル製肌シャツについて、専門パネラー１０人が頭を通して着用する動作を行い、各試験衣類について下記の評価基準に基づいて点数付けを行った。１０人のパネラーの平均値を下記の判定基準に基づいて評価し、Ｃ評価以上（平均値が２．５点以上のもの）を合格とした。
なお、この肌触り評価は、上記の恒温恒湿室にて実施した。
［評価基準］
１点：洗濯処理を施す前の衣類と同等の着心地、又は、洗濯処理を施す前の衣類の方がさらっとした着心地である。
２点：洗濯処理を施す前の衣類よりもややさらっとした着心地である。
３点：洗濯処理を施す前の衣類よりもさらっとした着心地である。
４点：洗濯処理を施す前の衣類よりもかなりさらっとした着心地である。
５点：洗濯処理を施す前の衣類よりも非常にさらっとした着心地である。
［判定基準］
Ａ：平均値が４．５点以上、Ｂ：平均値が３．５点以上４．５点未満、Ｃ：平均値が２．５点以上３．５点未満、Ｄ：平均値が２．５点未満。【００６４】
（吸水性評価）
前述の洗濯処理方法で得られた試験片１０枚を２５℃、湿度６５％ＲＨの恒温恒湿室に１日放置して乾燥させた。
１Ｌビーカーに水道水１Ｌをため、２５℃に調温した。前記試験片１枚を水面に浮かべ、試験片に水が浸みわたりビーカーの底に沈むまでの時間を計測した。時間が短いほど吸水性が高まっていることを示す。試験片１０枚が水に沈む時間の平均時間を求め、以下の判定基準に沿って評価した。なお、洗濯処理を施す前の試験片１０枚が水に沈む時間の平均時間は７０秒であった。よって、以下の判定基準においてＣ評価以上を合格とした。
［判定基準］
Ａ：平均時間が３０秒未満、Ｂ：平均時間が３０秒以上４５秒未満、Ｃ：平均時間が４５秒以上１分未満、Ｄ：平均時間が１分以上。【００６５】
（液安定性評価）
表１〜４に示す液体洗浄剤組成物を円筒ガラス瓶に取り、蓋を閉めて５℃の恒温槽、及び５０℃の恒温槽で１か月間保存した。保存後の外観を目視で観察し、下記評価基準に基づいて液安定性を評価し、Ａ、Ｂ評価のものを合格とした。
［評価基準］
Ａ：均一で分離がない。
Ｂ：均一だがやや黄変が見られる。
Ｃ：分離・析出が見られる。【００６６】
各例の液体洗浄剤の着心地、吸水性及び液安定性の評価結果を表１〜４に示す。
なお、表中の「Ｂ／Ｃ」は、液体洗浄剤中の質量比率（Ｂ）／（Ｃ）を表す。「Ａ＋Ｂ」は、液体洗浄剤中の（Ａ）成分及び（Ｂ）成分の合計量（質量％）を表す。【００６７】
【表１】
2017208990.tif 000003
【００６８】
【表２】
2017208990.tif 000004
【００６９】
【表３】
2017208990.tif 000005
【００７０】
【表４】
2017208990.tif 000006
【００７１】
表１〜４に示すように、実施例１〜３４は、肌触り評価及び吸水性評価が洗濯処理を施す前よりも向上していた。
（Ａ）〜（Ｃ）のいずれかの成分を含有しない比較例１〜１１は、肌触り評価及び吸水性評価のいずれかが、評価Ｄであった。
以上の結果から、本発明の液体洗浄剤組成物を用いることで、化繊衣類等のさらっとした着心地及び吸水性を、洗濯処理を施す前よりも高めることができることが確認された。
【産業上の利用可能性】
【００７２】
本発明の液体洗浄剤組成物を用いて化繊衣類に洗濯処理を施すことにより、被洗物である化繊衣類のさらっとした着心地及び吸水性を高めることができるため、有用である。
【国際調査報告】
2017208990.tif 000007
2017208990.tif 000008
2017208990.tif 000009
2017208990.tif 000010